(57)【特許請求の範囲】
【請求項１】
列車内表示装置に表示するコンテンツと当該コンテンツに対応するコンテンツをホーム壁面表示装置に表示するコンテンツ連動表示方法であって、
列車内表示装置に表示された複数のコンテンツの表示履歴を列車広告管理装置から連動管理装置に送信するステップと、
送信された表示履歴と、予め連動管理装置に格納されている列車内の広告放映スケジュールと、から次駅に到着する時刻に列車内表示装置に表示される広告コンテンツを予測するステップと、
予測された広告コンテンツに対応する広告コンテンツを予測された時刻にホーム壁面表示装置に表示するステップと、
を有することを特徴とするコンテンツ連動表示方法。
【請求項２】
請求項１に記載のコンテンツ連動表示方法において、
前記広告コンテンツを予測するステップは、予測した広告コンテンツを識別する情報と、放映開始予測時刻と、を連動管理装置の記憶部に格納し、
前記ホーム壁面表示装置に表示するステップは、前記記憶部に格納した広告コンテンツを識別する情報を基に表示する広告コンテンツを特定し、当該特定された広告コンテンツを前記放映開始予測時刻に前記ホーム壁面表示装置に表示する
ことを特徴とするコンテンツ連動表示方法。
【請求項３】
請求項１または２に記載のコンテンツ連動表示方法において、
前記列車が前記ホーム壁面表示装置を設置した駅から出発した場合に、前記予測された広告コンテンツが表示される前に表示されていた広告を再度表示させるステップを更に有する
ことを特徴とするコンテンツ連動表示方法。
【請求項４】
列車広告表示制御装置とホーム壁面表示制御装置と運行管理装置と連動広告管理装置とを備えるコンテンツ連動表示システムであって、
前記列車広告表示制御装置は、駅に設置された通信部を介して前記連動広告管理装置と通信する通信部と列車用コンテンツを表示する列車広告表示装置とを備え、
前記運行管理装置は、運行状況に関する情報である列車位置情報を記憶する記憶部と、前記連動広告管理装置に当該運行情報を送信する送信部とを備え、
前記連動広告管理装置は、
列車で表示される予定を規定した広告放映スケジュールが格納されている記憶部と、
前記列車広告表示制御装置から前記列車広告表示装置に表示された複数のコンテンツの表示履歴を、受信する受信部と、
前記受信した表示履歴と予め記憶部に格納されている広告放映スケジュールと前記運行情報とから次駅に到着する時刻に前記列車広告表示装置に表示される広告コンテンツを予測する広告予測部と、
前記予測した広告についての情報を前記ホーム壁面表示制御装置に送信する送信部と、を備え、
前記ホーム壁面表示制御装置は、前記連動広告管理装置の送信部から送信された前記予測した広告についての情報を受信する受信部と、前記予測した広告についてのコンテンツを格納しておく記憶部と、
前記記憶部に格納された予測されたコンテンツを予測された時刻にホーム壁面用コンテンツを表示するホーム壁面広告表示装置と、を備えることを特徴とするコンテンツ連動表示システム。
【請求項５】
請求項４に記載のコンテンツ連動表示システムにおいて、
前記ホーム壁面表示制御装置は、前記列車が前記ホーム壁面広告表示装置を設置した駅から出発した場合に、前記予測された広告コンテンツが表示される前に表示されていた広告を再度表示させる表示変更処理部を更に有することを特徴とするコンテンツ連動表示システム。
【発明の詳細な説明】
【技術分野】
【０００１】
本発明は鉄道事業者向け広告コンテンツの提供方法及びシステムに関する。
【背景技術】
【０００２】
プラズマディスプレイや液晶ディスプレイなどの電気的な表示機器を公共のスペースに設置し、その場にいる広告受給者（以下、ターゲットとする）に対して広告などの情報提供を行うデジタルサイネージが近年増えている。
【０００３】
デジタルサイネージは、テレビのように不特定多数のターゲットに対して同一の情報を流すのではなく、その場に居合わせる特定のターゲットに対して焦点を絞った広告や各種情報を発信することができる。従来の電飾看板や紙のポスター、或いは繰り返し同じ映像を再生するだけの情報発信と比較すると、インターネット経由などによる遠隔操作で流すコンテンツをリアルタイムに制御することが可能である。そのため、情報の鮮度を保つことも容易であり、視聴者の注目度も高めやすい。そのため、鉄道事業者においては、デジタルサイネージにて情報発信するために列車内や駅のホーム壁面にディスプレイを設置している。
【０００４】
列車広告とホーム壁面広告の効果を上げる為には、ターゲットに対して広告を繰り返し接触させることで印象に残すことが重要であり、列車内広告とホーム壁面広告が連動させることが考えられている。特許文献１では、ある列車内の広告を特定広告で統一させ、その列車を、駅ホームに設置した近距離無線で検知し、検知時にホーム壁面広告のコンテンツを予め放映登録してあるコンテンツに切り替え、これにより列車内広告とホーム壁面広告を連動させる方法が開示されている。
【先行技術文献】
【特許文献】
【０００５】
【特許文献１】特開2004-77519号公報
【発明の概要】
【発明が解決しようとする課題】
【０００６】
特許文献１においては、列車内で放映しているコンテンツを認識せずに、列車接近の検知により、ホーム壁面広告を切り替るために、複数種類のコンテンツを選別的に表示することはできない。そのため、列車内とホーム壁面で同一のコンテンツを表示することができない場合がある。また、近距離無線を駅ホームに新たに設置する必要があった。また、ある特定コンテンツがいつも列車到着時に表示されてしまうと、そのコンテンツはホームから見られる機会が減り、広告提供品質が不均一となってしまう。特許文献１ではこのような広告提供品質については考慮していない。
【０００７】
本発明は、車内広告とホーム壁面広告を連動させることで、列車に搭乗している乗客に対してその広告の接触回数を増やすことを目的とする。
【課題を解決するための手段】
【０００８】
本発明は、列車広告放映ログから、列車内で放映している広告コンテンツを推測し、その推測した情報に基づきホーム壁面広告表示装置で放映する広告コンテンツを制御する。これにより、ホーム壁面広告表示装置の広告コンテンツと列車内の広告コンテンツと連動して表示する。
【０００９】
具体的には、ホーム壁面に広告を表示する装置に、予め複数の広告コンテンツを格納しておく。次に、駅に設置している無線装置を介して、列車内の広告配信に関する放映結果を取得し、この放映結果からこの列車でこれから放映するコンテンツと放映される時刻を予測する。そして、当列車がホームに到着する時刻に、予測したコンテンツをホーム壁面広告表示装置に表示させる。そして、列車がホーム出発時に予測したコンテンツから、列車が到着する前にホーム壁面広告表示装置に表示されていた広告コンテンツへの切替を行なう。
【発明の効果】
【００１０】
本発明によれば、列車広告コンテンツとホーム壁面広告コンテンツを連動させて表示することができる。これによりターゲットが広告に接触する率を向上させることができる。
【図面の簡単な説明】
【００１１】
【図１】コンテンツ連動表示システムのハードウエア構成図。
【図２】コンテンツ連動表示システムのブロック図。
【図３】コンテンツ連動表示システムにおける連動処理のフロチャート図。
【図４】連動広告管理装置における入力・登録処理および連動広告放映予測処理詳細フロチャート図。
【図５】ホーム壁面広告表示制御装置における表示制御処理詳細フロチャート図。
【図６】列車停止駅管理データの一例。
【図７】列車広告放映管理データの一例。
【図８】列車広告放映ログデータの一例。
【図９】ホーム壁面広告管理データの一例。
【図１０】連動広告放映管理データの一例。
【図１１】連動広告放映予測データの一例。
【図１２】自駅連動広告放映予測データの一例。
【図１３】列車位置情報データの一例。
【図１４】処理ステータスファイルデータの一例。
【発明を実施するための形態】
【００１２】
以下図面を用いて、本コンテンツ連動表示システムについて図面を用いて説明する。
【実施例１】
【００１３】
図１及び図２は、本実施例に係るコンテンツ連動表示システムについてのハードウエア構成図及びブロック図である。図１及び図２に基づいて各部の機能を説明する。
【００１４】
本システムは、(1)列車広告表示装置(10100)と、(2)列車広告表示制御装置(10200)と、(3)列車広告管理装置(10300)と、(4)ホーム壁面広告表示装置(10400)と、(5)ホーム壁面広告表示制御装置(10500)と、(6)ホーム壁面広告管理装置(10600)、(7)表示切替装置(10700)と、(8)運行管理装置(10800)と、(9)連動広告管理装置(10900)と、(10)列車広告用無線通信装置(11000)と、(11)列車通過検知装置(11100)と、(12)列車識別通知装置(11200)と、を備える。
【００１５】
(1)列車広告表示装置(10100)は、列車内に設置し、この表示装置用のコンテンツを表示する装置である。
【００１６】
(2)列車広告表示制御装置(10200)は、列車内に設置し、ホーム滞在時に列車広告用無線通信装置(11000)を介して、列車広告管理装置(10300)および連動広告管理装置(10900)と通信を行なう。列車広告表示制御装置(10200)は、列車広告管理装置(10300)から送信される列車広告コンテンツデータ(20301)と列車広告放映管理データ(20302)を受信する通信部と、受信データを格納する記憶部と、列車広告コンテンツデータ(20301)と列車広告放映管理データ(20302)に基づいて表示部から出力するコンテンツを生成する制御部から構成される。また、コンテンツの出力結果は、列車広告放映ログ(20201)として記憶部に格納され、ホーム滞在時に列車広告用無線通信装置(11000)を介して、連動広告管理装置(10900)へ送信する。
【００１７】
(3)列車広告管理装置(10300)は、列車広告向けに作成した列車広告コンテンツと放映順序を入力する入力部と、先に入力した列車広告コンテンツデータ(20301)と、列車広告放映管理データ(20302)を格納する記憶部と、連動広告管理装置(10900)に列車広告放映管理データ(20302)を送信、列車広告表示制御装置(10200)に列車広告コンテンツデータ(20301)と列車広告放映管理データ(20302)を送信する通信部と、入力データを所定の形式に変換し、記録部に格納する制御部から構成される。
【００１８】
(4)ホーム壁面広告表示装置(10400)は、表示切替装置(10700)が出力するコンテンツを表示する。
【００１９】
(5)ホーム壁面広告表示制御装置(10500)は、ホーム壁面広告管理装置(10600)から送信されるホーム壁面広告コンテンツデータ(20601)とホーム壁面広告放映管理データ(20602)を受信、また連動広告管理装置(10900)から送信される連動広告コンテンツデータ(20901)と連動広告放映管理データ(20902)、連動広告放映予測データ(20903)を受信、また運行管理装置(10800)から送信される広告表示列車の停車駅管理データ(20801)と列車位置情報データ(20802)を受信する通信部と、受信データを格納する記憶部と、ホーム壁面広告コンテンツデータ(20601)とホーム壁面広告放映管理データ(20602)に基づいて表示部１から出力するコンテンツと、および停車駅管理データ(20801)、列車位置情報データ(20802)、連動広告コンテンツデータ(20901)、連動広告放映管理データ(20902)、連動広告放映予測データ(20903)に基づいて表示部２から出力するコンテンツを生成し、表示切替装置(10700)に対して、表示切替指示をする制御部から構成される。
(6)ホーム壁面広告管理装置(10600)は、ホーム壁面広告向けに作成したホーム壁面広告コンテンツデータ(20601)と放映順序を入力する入力部と、先に入力したホーム壁面広告コンテンツデータデータ(20601)とホーム壁面広告放映管理データ(20602)を格納する記憶部と、連動広告管理装置(10900)にホーム壁面広告放映管理データ(20602)を送信、ホーム壁面広告表示制御装置(10500)にホーム壁面広告コンテンツデータ(20601)とホーム壁面広告放映管理データ(20602)を送信する通信部と、入力データを所定の形式に変換し、記録部に格納する制御部から構成される。
【００２０】
(7)表示切替装置(10700)は、ホーム壁面広告表示制御装置(10500)の表示部１および表示部２が出力するコンテンツを、映像入力部１および映像入力部２で受信し、通信部を介して受信するホーム壁面広告表示制御装置(10500)からの切替指示に基づき、制御部が、映像出力部から出力するコンテンツを映像入力部１または、映像入力部２に切替える。
【００２１】
(8)運行管理装置(10800)は、広告表示列車が停車する駅を入力するための入力部と、先に入力した列車停止駅管理データ(20801)と、列車通過検知装置(11100)より送信される広告表示列車の列車位置情報データ(20802)を記録する記憶部と、ホーム壁面広告表示装置(10400)に列車停止駅管理データ(20801)と列車位置情報データ(20802)を送信し、列車通過検知装置(11100)より列車識別データ(21200)を受信する通信と、入力データを所定の形式に変換し、記録部に格納する制御部から構成される。
【００２２】
(9)連動広告管理装置(10900)は、列車入線時に、列車内で放映している列車広告コンテンツに対応して放映するホーム壁面コンテンツの対応づけ、もしくは入線時向けに作成した連動広告コンテンツを入力する入力部と、先に入力した、列車広告コンテンツデータ(20301)と、ホーム壁面広告コンテンツデータ(20601)と、連動広告コンテンツデータ(20901)の対応づけすなわち、連動広告放映管理データ(20902)を格納する記憶部と、ホーム壁面広告表示制御装置(10500)に、連動コンテンツデータ(20901)と連動広告放映管理データ(20902)を送信する通信部と、入力データを所定の形式に変換し、記録部に格納する制御部から構成される。また、列車広告表示制御装置(10200)から送信される列車広告放映ログデータ(20201)に基づき、連動広告放映予測データ(20903)を作成し、記録部に格納したのち、ホーム壁面広告表示制御装置(10500)に送信する。
【００２３】
(10)列車広告用無線通信装置(11000)は、広告表示列車がホーム滞在中に、列車広告管理装置(10300)が送信する列車広告コンテンツデータ(20301)および列車広告放映管理データ(20302)を広告列車に無線にて送信し、列車広告表示制御装置(10200)が送信する放映ログを連動管理装置に有線などにて送信する送信部より構成される。
【００２４】
(11)列車通過検知装置(11100)は、広告表示列車が通過する経路に設置し、列車の通過を通知する送信部より構成される。
【００２５】
(12)列車識別通知装置(11200)は、広告表示列車内に設置し、ホーム滞在時に列車広告用無線通信装置(11000)を介して、運行管理装置(10800)と通信を行なう。列車識別通知装置(11200)は、列車通過検知装置(11100)に対して、列車を識別するためのＩＤを送信する通信部と識別ＩＤを格納する記憶部と、通信制御を行なう制御部から構成される。
【００２６】
図３は、本発明に係るホーム壁面広告表示制御装置(10500)と連動広告管理装置(10900)とそれに関係する周辺システム・装置の処理フローの概要を示すフロチャートであり、図４は、図３の連動広告管理装置入力・登録処理および連動広告放映予測処理の詳細であり、図５は、図３のホーム壁面広告表示制御装置(10500)の切替制御処理の詳細である。図３から図５に基づいて、図１、図２の各部の動作を説明する。
【００２７】
まず、運行管理装置(10800)は、列車停止駅管理データ(20801)をホーム壁面広告表示装置(10400)に配信(30801)し、ホーム壁面広告表示制御装置(10400)は、列車停止駅管理データ(20801)を取得する(30500)。図６は、列車停止駅管理データ(20801)の一例である。
【００２８】
列車広告管理装置(10300)の入力部より、列車広告用に作成したコンテンツと放映順序を入力し、データを記憶部に列車広告コンテンツデータ(20301)、列車広告放映管理データ(20302)として登録(30301) (30302)した後に、列車広告コンテンツデータ(20301)と列車広告放映管理データ(20302)を通信部を介して列車広告表示制御部へ配信、また列車広告放映管理データ(20302)を連動広告管理装置(10900)へ配信する(30303)。図７は、列車広告放映管理データ(20302)の一例である。
【００２９】
列車広告表示制御装置(10200)は、広告表示列車が列車広告用無線通信装置設置駅に停車時に、列車広告管理装置(10300)から列車広告コンテンツデータ(20301)と列車広告放映管理データ(20302)を取得し、記録部に保存後(30201)、列車広告放映管理データ(20302)に基づいて、列車広告コンテンツを列車広告表示装置(10100)に表示し(30202)、表示結果を列車広告放映ログデータ(20201)として記憶部に格納する(30203)。図８は、列車広告放映ログデータ(20201)の一例である。列車広告表示制御装置(10200)は、列車広告放映ログデータ(20201)を、ホーム滞在時に、列車広告管理装置(10300)に送信する(30204)。
【００３０】
ホーム壁面広告管理装置(10600)の入力部より、ホーム壁面広告用に作成したコンテンツと放映順序を入力し、データを記憶部のホーム壁面広告データと列車広告放映管理データ(20302)に登録(30601) (30602)した後に、ホーム壁面広告コンテンツデータ(20601)とホーム壁面広告放映管理データ(20602)を通信部を介してホーム壁面広告表示制御装置(10500)に配信、またホーム壁面広告放映管理データ(20602)を連動広告管理装置(10900)へ配信する(30603)。図９は、ホーム壁面広告放映管理データ(20602)の一例である。
【００３１】
ホーム壁面広告表示制御装置(10500)は、ホーム壁面広告コンテンツデータ(20601)と、ホーム壁面広告放映管理データ(20602)を取得し、記憶部に保存(30502)後、表示切替装置(10700)の映像入力部１を映像出力部から出力するよう指示した後、ホーム壁面広告放映管理データ(20602)に基づいてホーム壁面広告コンテンツデータ(20601)を表示部１より出力する。ホーム壁面広告表示装置(10400)は、ホーム壁面広告表示制御装置(10500)が表示部１より出力したホーム壁面広告コンテンツを表示する(30503)。
【００３２】
連動広告管理装置(10900)は、入力部から列車広告コンテンツに連動放映するコンテンツをホーム壁面コンテンツから選択して関連づける画面を提供し、関連づけを行なう際に、ホーム壁面広告放映管理データ(20602)と列車広告放映管理データ(20302)を参照(40002) (40003)し、列車広告コンテンツ(20301)に連動放映するコンテンツをホーム壁面コンテンツ(20601)から選択して関連づけ、記憶部の連動広告放映管理データ(20902)に格納する。また、列車広告コンテンツ(20301)に関連づけるホーム壁面コンテンツ(20601)が不足している場合(40004)は、入力部よりホーム壁面広告データ以外に新たな連動広告コンテンツを入力(40005)、関連づけを行ない記憶部の連動広告放映管理データ(20902)に格納(40006)し、連動広告コンテンツデータ(20901)と連動広告放映管理データ(20902)を通信部を介してホーム壁面広告表示制御装置(10500)に配信する(40007)(30901)。図９は、連動広告放映データ(20902)の一例である。
【００３３】
その後、連動広告管理装置(10900)は、列車広告表示制御装置(10200)から列車広告放映ログデータ(20201)を取得(40008)し、列車広告放映ログデータ(20201)の列車ＩＤを確認(40009)し、連動広告放映予測データ(20903)に該当ＩＤが存在する場合は、最新の予想データに更新するため、該当するデータをすべて削除する。(40010)該当ＩＤが、存在しない場合は、列車広告放映ログログデータ(20201)から最も最近放映したコンテンツＩＤと放映終了時間を求める(40011)。次に列車広告管理データから求めたコンテンツＩＤの次に放映されるコンテンツＩＤと放映時間を求め、前コンテンツの放映終了時間に放映時間を加えることにより、コンテンツの放映開始時間を算出する(40012)。算出した放映開始時間が、放映ログ取得時間より小さい場合は、算出データを破棄し、更に次に放映するコンテンツＩＤと、該当コンテンツの放映開始時間を算出する(40013)。算出した放映開始時間が放映ログ取得時間より大きい場合は、連動広告放映予測データ(20903)に、該当コンテンツＩＤ以後、放映順序通りに各コンテンツが正常に放映されるものとして、予測に利用した広告放映ログの取得時間、コンテンツＩＤ、放映開始予測時間、列車ＩＤ、算出し、記憶部の連動広告放映予測データ格納(40014)し、更に次に放映するコンテンツに対しても、同様に開始時間を予測する。ただし、予測データは、データサイズを考慮し、列車が列車広告用無線通信装置設置駅を往復する時間などを目安に一定の閾値を定める(40015)。図１１は、連動広告放映予測(20903)の一例でありる。
【００３４】
連動広告管理装置(10900)は、列車広告放映ログデータ(20201)を受信する度に、連動広告放映予測データ(20903)を更新し、更新したデータを、ホーム壁面広告表示制御装置(10500)に配信する(40016)(30902)。  ホーム壁面広告表示制御装置(10500)は、連動広告管理装置(10900)から連動広告放映予測データ(20903)を取得(30505)し、列車停止駅管理データ(20801)から取得している当該ホーム壁面広告表示制御装置設置駅に停車しない列車に関するデータを削除して、自駅向け連動広告放映予測データとして、記憶部に保存する(30506)。図１２は、自駅向け連動広告放映予測データの一例である。
ホーム壁面広告表示制御装置(10500)は、列車停止駅管理データ(20801)、連動広告コンテンツデータ(20901)、連動広告放映管理データ(20902)を取得し、自駅向け連動広告放映予測データを作成し、運行管理装置(10800)から定期的に配信される列車位置情報(20802)に基づき表示制御処理を行う。
【００３５】
ホーム壁面広告表示制御装置(10500)は、運行管理装置(10800)から取得(50002)した列車位置情報データ(20801)より、隣駅を出発する列車を検知した場合(50003) (50004)、自駅向け連動広告放映予測データの有無を確認するために、列車位置情報データ(20801)より列車ＩＤを特定し、記憶部の自駅向け連動広告放映予測データを参照し、当該列車ＩＤの有無を確認する。当該列車ＩＤがない場合、列車位置情報データを取得する処理に戻り、連動切替処理を行わない。当該列車ＩＤが存在する場合は、自駅ホームの列車有無を確認するために、処理ステータスファイルから、到着フラグを参照し、フラグが１の場合は、自駅ホームに列車が滞在して、連動コンテンツを放映中と判断し、以後の処理を行なわず、列車位置情報データを取得する処理に戻り、到着フラグが０の場合は、自駅ホームに列車が不在と判断(50005)し、自駅向け連動広告予測データから、当該列車ＩＤの中から現在時刻以降で最も早く放映が開始されるコンテンツＩＤと開始時刻を取得(50006)し、放映開始時刻に、当該のコンテンツＩＤに対応するコンテンツを表示部２にて再生(50007)し、処理ステータスファイル隣駅出発フラグに１を書き込んだ後、列車位置情報データを取得する処理に戻る(50008)。
【００３６】
ホーム壁面広告表示制御装置(10500)は、運行管理装置(10800)から取得した列車位置情報データ(20802)より、自駅ホームに到着する列車を検知した場合(50003) (50007)、列車位置情報データ(20802)より列車ＩＤを特定し、記憶部の処理ステータスファイルを参照し、当該列車ＩＤと、隣駅出発フラグを確認する。当該列車ＩＤがない場合または、当該列車ＩＤの隣駅出発フラグが０の場合は、自駅向け連動広告放映予測データに不備があると判断し、当該列車ＩＤのデータを削除したのち、列車位置情報データを取得する処理に戻る。当該列車ＩＤが存在しかつ、隣駅出発ステータスフラグが１の場合(50009)は、表示切替装置(10700)へ対して、映像入力部２の映像を映像出力部から出力するよう指示をすることで、連動広告コンテンツ(20901)をホーム壁面広告表示装置(10400)に出力(50010)し、ホーム壁面広告表示制御装置(10500)の表示部１のホーム壁面広告コンテンツ(20601)の再生を一時停止(50011)した後に、ステータスファイル到着フラグに１を書込み、列車位置情報データを取得する処理に戻る(50012)。
【００３７】
ホーム壁面広告表示制御部は、運行管理装置(10800)から取得した列車位置情報データ(20802)より、自駅から出発する列車を検知(50003)した場合(50013)、ホーム壁面広告表示制御装置(10500)の表示部１のホーム壁面広告コンテンツの再生を再開(50013)し、表示切替装置(10700)へ対して、映像入力部１の映像を映像出力部から出力するよう指示をすることで、ホーム壁面広告コンテンツ(20500)をホーム壁面広告表示装置(10400)に出力(50014)した後に、列車位置情報データ(20802)より列車ＩＤを特定して、当該列車ＩＤのデータを削除したのち、列車位置情報データ(20802)を取得する処理に戻る(50015)。図１４は、処理ステータスファイルの一例である。
【００３８】
本実施例によれば、車内広告とホーム広告とを連動することができる。更に運行状況によって生じる広告提供品質の不均一、つまり、ある特定のコンテンツがいつも列車到着時に表示され、その列車のためホームから見えなくなってしまうことによる広告提供品質の不均一も防止することができる。
【符号の説明】
【００３９】
１０９００  連動広告管理装置
２０９０２  連動広告放映管理データ
２０９０３  連動広告放映予測データ
２０２０１  列車広告放映ログデータ
１０５００  ホーム壁面広告表示制御装置
１０７００  表示切替装置
２０８００  列車情報データ
２０６０２  ホーム壁面広告放映管理データ
２０３０２  列車広告放映管理データ
【図１】
0005557509.tif 000002
【図２】
0005557509.tif 000003
【図３】
0005557509.tif 000004
【図４】
0005557509.tif 000005
【図５】
0005557509.tif 000006
【図６】
0005557509.tif 000007
【図７】
0005557509.tif 000008
【図８】
0005557509.tif 000009
【図９】
0005557509.tif 000010
【図１０】
0005557509.tif 000011
【図１１】
0005557509.tif 000012
【図１２】
0005557509.tif 000013
【図１３】
0005557509.tif 000014
【図１４】
0005557509.tif 000015